(57)【要約】  【課題】低コストで前後方向の長さに対応できるディスク用ラックを提供する。  【解決手段】ラック本体７は押し出し成形により矩形の水平板４の上面に左右両端面7ａ間の全幅に亘り複数の縦リブ５が前後方向に等間隔で垂設され、隣接する縦リブ５間の隙間がディスク保持用凹部６として形成される。ディスク用ラック３のラック本体７は第１のラック本体１５と第２のラック本体１６とからなる。第１のラック本体１５の水平板４ａの後端部１５ａに設けられる凹部１７と第２のラック本体１６の水平板４ｂの前端部１６ａに設けられる凸部１８により連結される。凹部１７は水平板４ａの後端部１５ａ近傍の下面４ｃ全幅に亘って垂設される垂直材１９と、この垂直材１９の先端１９ａから後端部１５ａに亘る水平材２０と、水平板４ａの後端部１５ａ近傍とで囲まれて形成される。垂直材１９の前方側面１９ｂが縦リブ５の前方側面５ａと同一面上に設けられる。  【選択図】図４
2007106470.tif 000002
【特許請求の範囲】
【請求項１】
矩形の水平板の上面に左右方向の全幅に亘り複数の縦リブが前後方向に当間隔で垂設され、隣接する縦リブ間の隙間をディスク保持用凹部とする押し出し成形で形成されたラック本体の左右両端面に取付けられる側面カバーを介して前方が開口した収納箱の左右に対向する両側板にスライド自在に配設されるディスク用ラックであって、
前記ラック本体は第１のラック本体と第２のラック本体とからなり、第１のラック本体の前記水平板の後端部に設けられる凹部と第２のラック本体の前記水平板の前端部に設けられる凸部により連結され、
前記凹部は前記水平板の後端部近傍の下面全幅に亘って垂設される垂直材と、この垂直材の先端から前記後端部に亘る水平材と、前記水平板の後端部近傍とで囲まれて形成され、
前記凸部は前記水平板の前端部の下面全幅に亘って垂設される垂直材の側面に前記前端部から突出し前記凹部に内包される突起形状に形成され、
前記凹部の垂直材の直上に前記第１のラック本体の後端部の縦リブが位置することを特徴とするディスク用ラック。
【発明の詳細な説明】
【技術分野】
【０００１】
本発明は、収納箱におけるディスク保持機能を備えたスライド式のディスク用ラックに関し、詳しくは、前後方向の長さが異なるディスク用ラックを安価に製造できる技術に関する。
【背景技術】
【０００２】
従来、収納箱のディスク用ラックは収納箱の前方の開口から引出せないため、特に、ディスク用ラックの後列の収納スペースに収納したＣＤの取り出しが困難であった。この問題を解決する方法が特許文献１に開示されている。図８に示すように、特許文献１の収納箱１におけるディスク保持機能を備えたスライド式のディスク用ラック３は前方が開口した収納箱１の左右に対向する図示しない側板間に配設され、ディスク用ラック３は収納箱１の前方開口部１ａから前方に引出し自在に設けられる。
【０００３】
ディスク用ラック３は、最初にラック本体７を押し出し成形により水平板４の上面に左右方向の全幅に亘り縦リブ５を前後方向に複数突設させ、前後に隣り合う縦リブ５間の隙間をディスク保持用凹部６とするように形成されたのち、左右両端面に側面カバー８を取付けて形成される。
【０００４】
なお、水平板４の下面の前後にタッピングホール部９が一体的に押し出し成形されるので、ラック本体７の横方向の両側端面を側面カバー８で覆うとともに、移動レール１２ａを側面カバー８の外側面に沿って当接し、ネジ等の固着具を移動レール１２ａと側面カバー８を挿通させてラック本体７に設けたタッピングホール部９にねじ込むことで、移動レール１２ａがラック本体７に固着される。そして収納箱の両側板に設けられる図示しない固定レールに移動レール１２ａがスライド保持される。
【０００５】
この構成であれば、ディスク用ラック３に設けたディスク保持用凹部６にＣＤやコンピュータディスク等のディスクを入れたディスクケース１０を前後方向に立てて並べて収納することができ、取り出す際にはディスク用ラック３を収納箱１の前方開口部１ａから引出して、順にディスクをめくりながら目的とするディスクケース１０を容易に奥からでも取り出すことができる。
【０００６】
さらに、ラック本体７が押し出し成形により一体的に製作されるので部材点数が少なくなる。また、ディスク用ラック３の横巾が異なる場合でもラック本体７としての押し出し成形品の切断位置を変えることで容易に製作できる。
【特許文献１】特開２００４−２３１２７６号公報
【発明の開示】
【発明が解決しようとする課題】
【０００７】
ところが、押出し成形されるラック本体７は横方向に押出されるので、ラック本体７が収納箱１の前後方向に長い場合には、成形金物の幅を広くする必要があるので押出し装置が大掛かりとなるためコストが高くなるという問題があった。そこで、本発明はかかる従来技術の問題に鑑みなされたものであって、低コストで前後方向の長さに対応できるディスク用ラックを提供することを目的とする。
【課題を解決するための手段】
【０００８】
請求項１の発明は、矩形の水平板の上面に左右方向の全幅に亘り複数の縦リブが前後方向に当間隔で垂設され、隣接する縦リブ間の隙間をディスク保持用凹部とする押し出し成形で形成されたラック本体の左右両端面に取付けられる側面カバーを介して前方が開口した収納箱の左右に対向する両側板にスライド自在に配設されるディスク用ラックであって、前記ラック本体は第１のラック本体と第２のラック本体とからなり、第１のラック本体の前記水平板の後端部に設けられる凹部と第２のラック本体の前記水平板の前端部に設けられる凸部により連結され、前記凹部は前記水平板の後端部近傍の下面全幅に亘って垂設される垂直材と、この垂直材の先端から前記後端部に亘る水平材と、前記水平板の後端部近傍とで囲まれて形成され、前記凸部は前記水平板の前端部の下面全幅に亘って垂設される垂直材の側面に前記前端部から突出し前記凹部に内包される突起形状に形成され、前記凹部の垂直材の直上に前記第１のラック本体の後端部の縦リブが位置することを特徴としている。
【発明の効果】
【０００９】
請求項１記載の発明によれば、前記ラック本体は第１のラック本体と第２のラック本体とからなり、第１のラック本体の前記水平板の後端部に設けられる凹部と第２のラック本体の前記水平板の前端部に設けられる凸部により連結され、前記凹部は前記水平板の後端部近傍の下面全幅に亘って垂設される垂直材と、この垂直材の先端から前記後端部に亘る水平材と、前記水平板の後端部近傍とで囲まれて形成され、前記凸部は前記水平板の前端部の下面全幅に亘って垂設される垂直材の側面に前記前端部から突出し前記凹部に内包される突起形状に形成されている。
【００１０】
このため、個々に第１のラック本体と第２のラック本体を押出し成形してそれぞれを連結して使用することができるので、幅広の押出し装置を必要としないのでコストを低く抑えることができる。また、第１のラック本体と第２のラック本体をそれぞれ単独に使用できるので、前後方向の長さが異なる複数のディスク用ラックに対応できるので利便性が向上する。
【００１１】
さらに、前記凹部の垂直材の直上に前記第１のラック本体の後端部の縦リブが位置するので、第１のラック本体から突出する凹部の強度を補うことができるので凹部をより強固な構造にできる。
【発明を実施するための最良の形態】
【００１２】
＜本発明の実施形態＞
以下に、本発明の実施形態を図１〜図７に基づいて説明する。なお、図８に示した構成と同等部分には適宜に同一符号を付して説明する。
【００１３】
＜ディスク用ラックの構成＞
図１、図２（ａ）、（ｂ）に示すように、戸棚などの収納家具５０の収納箱１に設けられるＣＤやコンピュータディスク等のディスクケース１０を複数の縦リブ５間に収納するディスク用ラック３は、ラック本体７の前端部に前面カバー１３が取付けられ、左右両端面7ａは側面カバー８を介して前方が開口した収納箱１の左右に対向する両側板２にスライド機構１２によってスライド自在（矢印Ｐ方向）に保持される。
【００１４】
ラック本体７は第１のラック本体１５と第２のラック本体１６とからなり、凹部１７と凸部１８により連結される。スライド機構１２は移動レール１２ａと固定レール１２ｂとからなり、収納箱１の対向する側板２の対向面の前後方向に固定レール１２ｂがねじ具などにより取付けられる。
【００１５】
この固定レール１２ｂにディスク用ラック３の両側に取付けた移動レール１２ａを前方から差し込み、移動レール１２ａを固定レール１２ｂに対してスライドさせることで、ディスク用ラック３を収納箱１の前方開口部１ａから前方に引出したり収納したりできる。なお、実施例において、ディスク用ラック３は収納箱１の上下方向に２組設けられている。
【００１６】
図３、図４、図５に示すように、ラック本体７は押し出し成形により矩形の水平板４の上面に左右両端面7ａ間の全幅に亘り複数の縦リブ５が前後方向に等間隔で垂設され、隣接する縦リブ５間の隙間がディスク保持用凹部６として形成される。
【００１７】
第１のラック本体１５の水平板４ａの後端部１５ａに凹部１７が設けられ、第２のラック本体１６の水平板４ｂの前端部１６ａに凸部１８が設けられる。
【００１８】
第１のラック本体１５には高さＨ１＝１４ｍｍの縦リブ５が厚みＨ２＝１．５ｍｍの水平板４ａの後端部１５ａからＬ２＝３．３ｍｍの位置を基準にしてＬ３＝１６９ｍｍの間に１１組設けられ、縦リブ５の厚みＴ＝１．５ｍｍ、各縦リブ５間の間隔Ｌ１＝１６．６ｍｍ、第１のラック本体１５の全長Ｌ４＝１８４ｍｍである。そして、移動レール１２ａに固定するためのタッピングホール部９が後端部１５ａからＬ５＝３７ｍｍの位置と、さらにＬ６＝１２０ｍｍはなれた位置に設けられる。
【００１９】
水平板４ａの先端部には他の縦リブ５よりも上方へ長く突出する縦リブ１３ａを備え、その上端部は後方側に向けてＬ状に屈曲し、下端部は水平板４ａよりも下方にＬ状に突出して指掛け用に使用される。
【００２０】
第２のラック本体１６には高さＨ１＝１４ｍｍの縦リブ５が厚みＨ２＝１．５ｍｍの水平板４ａの後端部１６ｂからＬ７＝３．７ｍｍの位置を基準にしてＬ８＝１６９ｍｍの間に１１組設けられ、縦リブ５の厚みＴ＝１．５ｍｍ、各縦リブ５間の間隔Ｌ１＝１６．９ｍｍ、第１のラック本体１５の全長Ｌ９＝１８４ｍｍである。そして、移動レール１２ａに固定するためのタッピングホール部９が後端部１６ｂからＬ１０＝３．３ｍｍの位置と、さらにＬ１１＝１２０ｍｍはなれた位置に設けられる。
【００２１】
凹部１７は水平板４ａの後端部１５ａ近傍の下面４ｃ全幅に亘って垂設される垂直材１９と、この垂直材１９の先端１９ａから後端部１５ａに亘る水平材２０と、水平板４ａの後端部１５ａ近傍とで囲まれて形成される。
【００２２】
垂直材１９は水平板４ａの上面からの高さＳ１＝５．８ｍｍ（下面４ｃからの長さＨ３＝４．３ｍｍ）、厚みＳ２＝１ｍｍで、垂直材１９の前方側面１９ｂが縦リブ５の前方側面５ａと同一面上に設けられる。縦リブ５と後端部１５ａとの間隔はＳ３＝２．５ｍｍであり、水平材２０の先端２０ａは後端部１５ａの位置と同一面上に設けられる。そして、凹部１７の空間１７ａそのものは、底幅Ｓ４＝３．５ｍｍ、開口幅Ｓ５＝１．４ｍｍ、空間１７ａ内部の半径Ｓ６＝１．８ｍｍ（縦リブ５の後方側面５ｂの延長上に中心がある）で形成され、開口部１７ｂは曲面で形成される。
【００２３】
凸部１８は水平板４ｂの前端部４ｄの下面４ｅ全幅に亘って垂設される垂直材２２（下面４ｅからの長さＨ３＝４．３ｍｍ、幅Ｓ１１＝１．２ｍｍ）の側面２２ａに前端部４ｄから突出する水平突起材２３（垂直材２２の先端部２２ｂからＨ４＝２．９ｍｍの位置）であり、その形状は凹部１７に密着して内包される形状に形成される。
【００２４】
そのため、水平突起材２３の先端部２３ｂは垂直材２２の内側面２２ｃから長さＳ１３＝４ｍｍであり、水平突起材２３の外周部２３ａの半径Ｓ７＝１．６ｍｍ、先端部２３ｂは先端からＳ９＝０．３ｍｍ入った点を中心とする半径Ｓ８＝０．７５ｍｍで抉られ、側面２２ａと厚さＳ１２＝１ｍｍの基部２３ｃで連結される。
【００２５】
図６に示すように、縦リブ５の前後面には、左右方向に亘って凹凸部２５が設けられる。縦リブ５の厚さＴ＝１．５ｍｍは、凹凸部２５の凹部における厚と同じであり、凹部から凸部までの高さＮ３＝０．３ｍｍである。このように凹凸部２５は高さＮ３＝０．８ｍｍの領域において凹部と凸部の山谷間の距離Ｎ４＝０．６ｍｍごとにピッチＮ５＝１．２ｍｍ（Ｎ４＝０．６ｍｍ毎に曲率が反転する）で凹凸が繰り返される。
【００２６】
このような構成により、ディスク保持用凹部６にディスクケース１０を入れて立てかけた場合、ディスクケース１０の下端部が縦リブ５の凹凸部２５に引っ掛かかり、ディスク用ラック３のスライド時の振動でディスクケース１０ががたついたり倒れたりするのを防止することができる。
【００２７】
図７に示すように、タッピングホール部９は水平板４ａ又は水平板４ｂから高さＨ２＝４．３ｍｍ、長さＧ１＝６．６ｍｍで、水平板４ａの全幅に亘って設けられる。半径Ｇ６＝３．３ｍｍのタッピングホール部本体９ａの中央には直径Ｇ３＝３．６ｍｍの空間が形成され、この空間はタッピングホール部本体９ａの先端部９ｂに角度Ｇ４＝６０度で開放されている。各先端部９ｂ、基部９ｃは曲面Ｇ５が形成される。
【００２８】
なお、押し出し成形されるラック本体７は例えばアルミ材が使用される。
【００２９】
＜ディスク用ラックの作用＞
上記のように、ディスク用ラック３は、第１のラック本体１５と第２のラック本体１６の水平板４ａ、４ｂの上面に左右方向の全幅に亘り縦リブ５を前後方向に複数突設させ、前後に隣り合う縦リブ５間の隙間をディスク入れ用凹部６とするようにそれぞれ押し出し成形により形成されたのち、第１のラック本体１５と第２のラック本体１６を凹部１７と凸部１８によりスライド嵌合して連結し、左右両端面に側面カバー８を取付ける。
【００３０】
ここで、ラック本体には板状をした水平板４の下面の前後にタッピングホール部９が一体的に押し出し成形されているので、ラック本体７の横方向の両側端面を側面カバー８で覆うとともに、移動レール１２ａを側面カバー８の外側面に沿って当接し、ネジ等の固着具を移動レール１２ａと側面カバー８を挿通させてラック本体７に設けたタッピングホール部９にねじ込むことで、移動レール１２ａがラック本体７に固着される。そして収納箱の両側板に設けられる固定レールに移動レール１２ａがスライド保持される。
【００３１】
このとき、凹部１７の垂直材１９の直上に第１のラック本体１５の後端部の縦リブ５が位置するので、凹部１７は縦リブ５によってその強度が補強されて凹部１７と凸部１８は強固に固定することができるので、作業時における凹部１７、凸部１８の損傷を防止することができる。
【００３２】
そして、第１のラック本体１５と第２のラック本体１６の長さは任意に選べるので、多種類のディスク用ラック３の長さに対応することができるので利便性が向上する。
【００３３】
長さの短いディスク用ラック３として単独にラックを使用する際には、凹部１７を備える第１のラック本体１５を選定するのが好ましく、凹部１７は縦リブ５の直下に配置されるので片持ち状の凸部１８よりも構造的に強固なので作業時の損傷防止につながることに加えて、外観面でも安定感が優れている。
【００３４】
以上、本発明の実施形態を図面に基づいて説明したが、上記の実施例はいずれも本発明の一例を示したものであり、本発明はこれらに限定されるべきでないということは言うまでもない。
【００３５】
例えば、第１のラック本体１５に凹部１７、第２のラック本体１６に凸部１８を設ける代わりに、第１のラック本体１５に凸部１８、第２のラック本体１６に凹部１７を設ける構成でも構わない。
【図面の簡単な説明】
【００３６】
【図１】本発明の実施形態における、収納箱１にディスク用ラック３が設けられる状態を示す斜視図である。
【図２】本発明の実施形態における、図１のＡ−Ａ矢視透視図である。
【図３】本発明の実施形態における、（ａ）は第１のラック本体１５、（ｂ）は第２の状態を示す側面図である。
【図４】本発明の実施形態における、図３（ａ）のＢ（凹部１７）の詳細図である。
【図５】本発明の実施形態における、図３（ｂ）のＣ（凸部１８）の詳細図である。
【図６】本発明の実施形態における、図３（ａ）、（ｂ）のＤ（縦リブ５）の詳細図である。
【図７】本発明の実施形態における、タッピングホール部９の状態を示す側面図である。
【図８】従来の、収納箱１にディスク用ラック３が設けられる状態を示す斜視図である。
【符号の説明】
【００３７】
３  ディスク用ラック
４  水平板
４ａ  水平板
４ｂ  水平板
４ｃ  下面
５  縦リブ
５ａ  前方側面
６  ディスク保持用凹部
７  ラック本体
７ａ  端面
１５  第１のラック本体
１５ａ  後端部
１６  第２のラック本体
１６ａ  前端部
１７  凹部
１８  凸部
１９  垂直材
１９ａ  先端
１９ｂ  前方側面
２０  水平材
【図１】
2007106470.tif 000003
【図２】
2007106470.tif 000004
【図３】
2007106470.tif 000005
【図４】
2007106470.tif 000006
【図５】
2007106470.tif 000007
【図６】
2007106470.tif 000008
【図７】
2007106470.tif 000009
【図８】
2007106470.tif 000010